(57)【要約】【課題】  遺留掌紋が複数ある場合、照合結果の検証作業を行う操作者の作業を軽減し検証をより確実に行う。【解決手段】  採取された複数の遺留掌紋を読み込み、それぞれ照合データを作成する工程と、前記作成した個々の照合データと記憶されている押捺掌紋データとの照合要求を行う工程と、前記照合要求の結果である候補リストを作成する工程と、前記候補リストを取り出し、全ての候補者リストを統合し出現率が高い候補から順に候補を並べ替え統合リストを作成する工程と、前記統合リストのうち最も出現率が高い候補の押捺掌紋画像とそれに一致した全ての遺留掌紋画像を押捺掌紋画像の位置に合わせて合成して表示する工程とを有する。【選択図】      図４
2005322041.tif 000002
【特許請求の範囲】
【請求項１】
採取された複数の遺留掌紋を読み込み、それぞれ照合データを作成する工程と、
前記作成した個々の照合データと記憶されている押捺掌紋データとの照合要求を行う工程と、
前記照合要求の結果である候補リストを作成する工程と、
前記候補リストを取り出し、全ての候補者リストを統合し出現率が高い候補から順に候補を並べ替え統合リストを作成する工程と、
前記統合リストのうち最も出現率が高い候補の押捺掌紋画像とそれに一致した全ての遺留掌紋画像を押捺掌紋画像の位置に合わせて合成して表示する工程とを有することを特徴とする掌紋照合における掌紋表示方法。
【請求項２】
更に、前記統合リストのうち操作者の指定した候補押捺掌紋画像とそれに一致した全ての遺留掌紋画像を押捺掌紋画像の位置に合わせて合成して表示する工程を有することを特徴とする請求項１に記載の掌紋照合における掌紋表示方法。
【請求項３】
更に、遺留掌紋画像の特徴点と候補押捺掌紋画像の特徴点で一致している特徴点同士を線で結び、確信度が高い特徴点から昇順に番号を付加し表示する工程とを有することを特徴とする請求項１に記載の掌紋照合における掌紋表示方法。
【請求項４】
掌紋表示装置、押捺掌紋記憶装置、及び遺留掌紋と押捺掌紋の照合を行うサーバから成る掌紋照合装置において、
前記掌紋表示装置は、採取された複数の遺留掌紋を読み込み、それぞれ照合データを作成する遺留掌紋読み込み手段と、
前記作成した個々の照合データと前記押捺掌紋記憶装置に格納されているデータとの照合要求を前記サーバに行う照合処理手段と、
前記照合要求の結果である候補リストを前記サーバから取り出し、全ての候補者リストを統合し出現率が高い候補から順に候補を並べ替え統合リストを作成する候補統合手段と、
前記統合リストのうち最も出現率が高い候補の押捺掌紋画像と、それに一致した全ての遺留掌紋画像を押捺掌紋画像の位置に合わせて合成して表示する画像表示手段とを備えたことを特徴とする掌紋照合装置。
【請求項５】
前記画像表示手段は、前記統合リストのうち最も出現率が高い候補の押捺掌紋画像とそれに一致した全ての遺留掌紋画像を押捺掌紋画像の位置に合わせて合成して表示し、更に前記統合リストのうち操作者の指定した候補押捺掌紋画像とそれに一致した全ての遺留掌紋画像を押捺掌紋画像の位置に合わせて合成して表示することを特徴とする請求項４に記載の掌紋照合装置。
【請求項６】
前記掌紋表示装置は、更に、遺留掌紋画像の特徴点と候補押捺掌紋画像の特徴点で一致している特徴点同士を線で結び、確信度が高い特徴点から昇順に番号を付加し表示する線図化手段とを備えたことを特徴とする請求項４に記載の掌紋照合装置。
【発明の詳細な説明】
【技術分野】
【０００１】
本発明は、遺留掌紋と候補押捺掌紋を照合する場合の掌紋照合における掌紋表示方法及び掌紋照合装置に関する。
【背景技術】
【０００２】
掌紋の照合は個人の識別のために行われ、犯罪捜査等に利用されている。犯罪現場等で採取された遺留掌紋とデータベースとして蓄積された候補押捺掌紋の照合が行われるが、従来、現場に残された複数の遺留掌紋を照合した結果を統合して検証する際、１つの遺留掌紋画像と候補押捺掌紋画像とを表示していた。
【０００３】
また、下記特許文献１に開示されているような掌紋照合システムにおいては、照合を行う前に、入力される掌紋画像に指部分を含めた掌全体の画像を利用して、掌紋画像の傾き、中心位置の修正を行っている。
【特許文献１】特開２００３−６６４４号公報
【特許文献２】特開２００３−３６４４３号公報
【発明の開示】
【発明が解決しようとする課題】
【０００４】
しかし、上記従来技術には、次のような問題点があった。
【０００５】
第１の問題点は、１つの候補押捺掌紋に一致した遺留掌紋が複数ある場合、検証する作業が煩雑で時間を要するということである。
【０００６】
その理由は、１つの候補押捺掌紋に対して１つの遺留掌紋を表示しているので、複数の遺留掌紋が一致している場合、遺留掌紋と候補押捺掌紋のイメージを確認するためには、遺留掌紋を一つ一つ表示し検証を行う必要があるからである。
【０００７】
第２の問題点は、照合結果検証の精度にばらつきがあることである。
【０００８】
その理由は、照合結果の画像を検証する際、遺留掌紋と候補押捺掌紋を一つ一つ確認し総合的に判断する必要があるからである。
【０００９】
また、上記特許文献１に開示されたものは、照合時間の短縮及び照合精度の向上を図るために照合前の段階の処理に重点を置いたものであり、複数の遺留掌紋と候補押捺掌紋のイメージを確認するための技術ではない。
【００１０】
そこで、本発明は、遺留掌紋が複数ある場合、照合結果の検証作業を行う操作者の作業を軽減し検証をより確実に行うことを目的とする。
【課題を解決するための手段】
【００１１】
上述の課題を解決するため、本発明の掌紋照合における掌紋表示方法は、採取された複数の遺留掌紋を読み込み、それぞれ照合データを作成する工程と、前記作成した個々の照合データと記憶されている押捺掌紋データとの照合要求を行う工程と、前記照合要求の結果である候補リストを作成する工程と、前記候補リストを取り出し、全ての候補者リストを統合し出現率が高い候補から順に候補を並べ替え統合リストを作成する工程と、前記統合リストのうち最も出現率が高い候補の押捺掌紋画像とそれに一致した全ての遺留掌紋画像を押捺掌紋画像の位置に合わせて合成して表示する工程とを有することを特徴とする。
【００１２】
また、本発明の掌紋照合装置は、掌紋表示装置、押捺掌紋記憶装置、及び遺留掌紋と押捺掌紋の照合を行うサーバから成る掌紋照合装置において、前記掌紋表示装置は、採取された複数の遺留掌紋を読み込み、それぞれ照合データを作成する遺留掌紋読み込み手段と、前記作成した個々の照合データと前記押捺掌紋記憶装置に格納されているデータとの照合要求を前記サーバに行う照合処理手段と、前記照合要求の結果である候補リストを前記サーバから取り出し、全ての候補者リストを統合し出現率が高い候補から順に候補を並べ替え統合リストを作成する候補統合手段と、前記統合リストのうち最も出現率が高い候補の押捺掌紋画像と、それに一致した全ての遺留掌紋画像を押捺掌紋画像の位置に合わせて合成して表示する画像表示手段とを備えたことを特徴とする。
【発明の効果】
【００１３】
本発明による第１の効果は、照合結果の検証作業を行う操作者の作業を軽減できることにある。
【００１４】
その理由は、特定の候補押捺掌紋に一致した複数の遺留掌紋を合成して表示するので一つ一つの遺留掌紋を表示して検証する必要がないからである。
【００１５】
第２の効果は、照合結果の検証がより確実に行うことができることにある。
【００１６】
その理由は、特定の候補押捺掌紋に一致した複数の遺留掌紋を合成して表示できるからである。
【発明を実施するための最良の形態】
【００１７】
次に、本発明の掌紋照合における掌紋表示方法及び掌紋照合装置を実施するための実施の形態について図面を参照して説明する。
【００１８】
図１は、本発明の実施形態１における掌紋照合装置を示す図である。
【００１９】
図２は、本発明の実施形態１における掌紋表示装置の各手段を示す図である。
【００２０】
図１，２に示すものは、実施形態２にも共通するので、これらを用いて実施形態の概略を説明する。
【００２１】
犯罪現場で採取された同一人物のものと思われる複数の遺留掌紋を掌紋表示装置１から入力し、サーバ２に照合要求し、照合結果をサーバ２から取り出し統合リストを作成し表示する処理において、複数の遺留掌紋を合成した画像と候補押捺掌紋画像を表示する掌紋表示方法である。
【００２２】
掌紋表示装置１では、遺留掌紋読み込み手段１１において、犯罪現場で採取された複数の遺留掌紋を読み込み、照合データを作成する。照合処理手段１２では、遺留掌紋読み込み手段１１で作成した照合データをそれぞれサーバ２に照合要求を行う。サーバ２は押捺掌紋記憶装置３に格納されているデータと照合データの照合を行い、その結果である候補リストを作成する。候補統合手段１３では、サーバ２から照合要求の結果である候補リストを取り出し、全ての候補者リストを統合し出現率が高い候補から順に候補を並べ替え統合リストを作成する。画像表示手段１４では統合リストのうち最も出現率が高い候補の押捺掌紋画像とそれに一致した全ての遺留掌紋画像を押捺掌紋画像の位置に合わせて合成して表示する。ここでいう「位置」とは、直線方向の位置と角度方向の位置（中心位置と傾き）である。
【００２３】
このようにして、候補を統合する機能に、合成した遺留掌紋画像と候補押捺掌紋画像を合わせて表示する機能を付加することで、操作者が照合結果を検証する作業の負担を軽減し、照合結果検証の確実性を高めることができる。
【００２４】
［実施形態１］
掌紋照合における掌紋表示方法及び掌紋照合装置を実施するための実施形態１について詳細に説明する。
【００２５】
（構成）
図１、及び図２において、本実施形態の掌紋照合装置は、掌紋表示装置１と、サーバ２と、押捺掌紋記憶装置３で構成する。
【００２６】
掌紋表示装置１は、遺留掌紋読み込み手段１１と、照合処理手段１２と、候補統合手段１３と、画像表示手段１４とを備えている。
【００２７】
サーバ２は、押捺掌紋記憶装置３のデータと要求された照合データの照合を行い照合結果情報である候補者リストを作成する。
【００２８】
押捺掌紋記憶装置３は、犯罪者等の掌紋データを格納している。
【００２９】
遺留掌紋読み込み手段１１は、犯罪現場等で採取された複数の遺留掌紋を読み込み、それぞれの照合データを作成する。
【００３０】
照合処理手段１２は、遺留掌紋読み込み手段１１で作成した照合データをそれぞれサーバ２に照合要求する。
【００３１】
候補統合手段１３は、照合処理手段１２で照合要求した結果である全ての候補リストをサーバ２から取り出し、全ての候補者リストの中で出現率の高い候補から昇順に並べ替え統合リストを作成する。
【００３２】
画像表示手段１４は、統合リストのうち最も出現率の高い候補の押捺掌紋画像とそれに一致した全ての遺留掌紋画像を押捺掌紋画像と同じ位置に合成して表示する。
【００３３】
（動作）
図３は、本実施形態におけるフローチャートである
図４は、本実施形態における画像表示された遺留掌紋と候補押捺掌紋を示す図である。
【００３４】
次に、図１、図２、図３、図４を参照して本実施形態の全体の動作について詳細に説明する。
【００３５】
まず、掌紋表示装置１は、遺留掌紋読み込み手段１１において、犯罪現場等で採取された遺留掌紋を読み込み、照合データを作成する。掌紋は複数箇所に別れて残っているケースやサイズが大きいため１つの画像として読み込むことができないケースが多い。そのようなケースは複数の画像に分けて読み込む。
【００３６】
次に、照合処理手段１２は、遺留掌紋読み込み手段１１で作成した全ての照合データについて個々にサーバ２に照合要求を行う。サーバ２は押捺掌紋記憶装置３のデータと要求された照合データの照合を行い照合結果情報である候補者リストを作成する。この候補者リストには、候補として挙がった押捺掌紋のリストと、それぞれの候補について一致領域の位置情報、照合スコア、一致した特徴点の情報が含まれる。
【００３７】
次に、候補統合手段１３では、照合処理手段１２において要求した照合結果をサーバ２から全て取り出し、それらの候補リストを統合し出現率が高い候補から順に並べ統合リストを作成する。出現率が同じ候補があった場合には、照合スコアが高い候補から順に並べる。
【００３８】
次に、画像表示手段１４では、図３のステップＡ１において、統合リストの中から画像を表示する押捺掌紋を特定する。最初は最も出現率の高い候補とする。それ以降は画面上で操作者が指示した候補を表示する。ステップＡ２において、候補押捺掌紋に一致した遺留掌紋を取得する。ステップＡ３において、ステップＡ１で特定された候補押捺掌紋とステップＡ２で選択された遺留掌紋の照合結果情報を取得する。ステップＡ４において、照合結果情報から遺留掌紋が候補押捺掌紋のどこに一致したかを取得し、遺留掌紋を候補押捺掌紋と対応した位置に合成する。ステップＡ５において、候補押捺掌紋に一致した遺留掌紋の中で未処理の掌紋があれば、ステップＡ２に戻る。ステップＡ５において、候補押捺掌紋に一致した遺留掌紋全てについて処理を行っていれば、図４のようにマージした遺留掌紋画像と候補押捺掌紋画像を表示する。ステップＡ６において、別の候補押捺掌紋について画像表示するようユーザから指示されたら、ステップＡ１に戻る。ステップＡ６において、別の候補押捺掌紋画像を表示しないならば処理を終了する。
【００３９】
［実施形態２］
次に、本発明の掌紋照合における掌紋表示方法及び掌紋照合装置を実施するための実施形態２について詳細に説明する。
【００４０】
図５は、本実施形態における掌紋表示装置の各手段を示す図である。
【００４１】
図６は、本実施形態におけるフローチャートである
図７は、本実施形態において、画像表示された遺留掌紋と候補押捺掌紋の特徴点同士を線で結んだ状態を示す図である。
【００４２】
本実施形態は、図２に示された掌紋表示手段の構成に加え、線図化（Charting）手段１５を有する点で異なる。
【００４３】
線図化手段１５は、図７のように、遺留掌紋画像の特徴点と候補押捺掌紋画像の特徴点で一致している特徴点同士を線で結び、確信度が高い特徴点から昇順に番号を付加し表示する。
【００４４】
本実施形態の動作を、図面を参照して詳細に説明する。
【００４５】
図５の遺留掌紋読み込み手段１１、照合処理手段１２、候補統合手段１３、画像表示手段１４については図２と同一のため、説明は省略する。
【００４６】
線図化手段１５では、図６のステップＢ１において表示中の遺留掌紋のうちの１つと候補押捺掌紋の照合結果情報の一致した特徴点情報を取得する。一致した特徴点情報には特徴点の座標情報と確信度が含まれる。ステップＢ２において一致した特徴点の情報を全て一覧リストに追加する。ステップＢ３において候補押捺掌紋に一致した遺留掌紋のうち未処理の遺留掌紋がある場合、ステップＢ１に戻る。ステップＢ３において候補押捺掌紋に一致した全ての遺留掌紋について処理が終了したら、ステップＢ４において、一致特徴点一覧リストで最も確信度の高い特徴点情報を取得する。ステップＢ５において遺留掌紋と候補押捺掌紋の一致した特徴点同士を線で結ぶ。ステップＢ６において一致特徴点に昇順に番号を付加する。ステップＢ７において処理が終わった特徴点を処理対象から除外する。ステップＢ８においてあらかじめ定められた数の特徴点を表示していなければ、ステップＢ４に戻る。ステップＢ８において規定特徴点数分表示していたら、線図化処理を終了する。
【００４７】
本実施形態では、複数の遺留掌紋と候補押捺掌紋の一致特徴点同士を線で結び明示するので、操作者の線図化作業を軽減し、信頼性の高い情報を提供することが可能になる。
【００４８】
なお、上記特許文献２において、指紋の特徴点表示方法が開示されており、指紋という一つのイメージ同士の特徴点に対して自動的に線で結び、番号を付す処理を行っている。これに対し、本実施形態では、複数の遺留掌紋画像を合成して表示し、複数の遺留掌紋画像とその対となる画像との特徴点を線で結んで表示しており、画像の確認を容易にしている。
【図面の簡単な説明】
【００４９】
【図１】本発明の実施形態１における掌紋照合装置を示す図
【図２】同じく実施形態１における掌紋表示装置の各手段を示す図
【図３】同じく実施形態１におけるフローチャート
【図４】同じく実施形態１における画像表示された遺留掌紋と候補押捺掌紋を示す図
【図５】本発明の実施形態２における掌紋表示装置の各手段を示す図
【図６】同じく実施形態２におけるフローチャート
【図７】同じく実施形態２において、画像表示された遺留掌紋と候補押捺掌紋の特徴点同士を線で結んだ状態を示す図
【符号の説明】
【００５０】
１…掌紋表示装置
２…サーバ
３…押捺掌紋記憶装置
１１…遺留掌紋読み込み手段
１２…照合処理手段
１３…候補統合手段
１４…画像表示手段
１５…線図化手段
【図１】
2005322041.tif 000003
【図２】
2005322041.tif 000004
【図３】
2005322041.tif 000005
【図４】
2005322041.tif 000006
【図５】
2005322041.tif 000007
【図６】
2005322041.tif 000008
【図７】
2005322041.tif 000009